(57)【要約】【課題】リード線からサーミスタ素子への水分の浸入を抑制できるサーミスタを提供する。【解決手段】サーミスタ素子２と、電極線３と、リード線４と、コネクタ１１またはファストン８０とを備える。電極線３は、サーミスタ素子２と接続される。リード線４は、電極線３と接続される。コネクタ１１またはファストン８０は、互いに離間した電極線３とリード線４との間に配置され、電極線３とリード線４とを接続する。【選択図】図１
2010040620.tif 000002
【特許請求の範囲】
【請求項１】
サーミスタ素子（２）と、
前記サーミスタ素子（２）と接続される電極線（３）と、
前記電極線（３）と接続されるリード線（４）と、
互いに離間した前記電極線（３）と前記リード線（４）との間に配置され、前記電極線（３）と前記リード線（４）とを接続するコネクタ（１１）またはファストン（８０）と、
を備えるサーミスタ（１）。
【請求項２】
開口部（８）を有し、前記サーミスタ素子（２）および前記電極線（３）を収納する収納ケース（７）と、
前記開口部（８）に嵌合可能であり、前記リード線（４）が貫通される弾性部材（１３）と、
をさらに備える、
請求項１に記載のサーミスタ（１）。
【請求項３】
前記リード線（４）が前記弾性部材（１３）を貫通することにより、前記弾性部材（１３）は、前記リード線（４）を圧迫する、
請求項２に記載のサーミスタ（１）。
【請求項４】
前記収納ケース（７）は、第１樹脂から構成され、
前記収納ケース（７）内には、第２樹脂（２０）が充填される、
請求項２または３に記載のサーミスタ（１）。
【請求項５】
前記電極線（３）と前記リード線（４）とを接続するものが前記コネクタ（１１）であり、
前記リード線（４）は、制御装置（９）に接続され、
前記弾性部材（１３）は、前記制御装置（９）と、前記コネクタ（１１）との間に位置する、
請求項２または３に記載のサーミスタ（１）。
【請求項６】
前記収納ケース（７）に嵌合可能であり、前記リード線（４）が貫通されるキャップ（１５）をさらに備える、
請求項２〜５のいずれかに記載のサーミスタ（１）。
【請求項７】
前記収納ケース（７）に嵌合可能であり、前記リード線（４）が貫通されるキャップ（１５）をさらに備え、
前記キャップ（１５）は、前記弾性部材（１３）と、前記制御装置（９）との間に位置する、
請求項５に記載のサーミスタ（１）。
【発明の詳細な説明】
【技術分野】
【０００１】
本発明は、サーミスタに関する。
【背景技術】
【０００２】
従来、水や水蒸気（以下、水分という）の浸入を防止するために、ケース内の一部の樹脂を電極線の被覆部分に接触させない構造をもつ空気調和機用サーミスタが提案されている（特許文献１参照）。
【特許文献１】実開平６−３７７２９号公報
【発明の開示】
【発明が解決しようとする課題】
【０００３】
しかし、リード線の被覆部分の内側を通ってサーミスタ素子へ水分が浸入することも想定される。
【０００４】
そこで、本発明の課題は、リード線からサーミスタ素子への水分の浸入を抑制できるサーミスタを提供することにある。
【課題を解決するための手段】
【０００５】
第１発明に係るサーミスタは、サーミスタ素子と、電極線と、リード線と、コネクタまたはファストンとを備える。電極線は、サーミスタ素子と接続される。リード線は、電極線と接続される。コネクタまたはファストンは、互いに離間した電極線とリード線との間に配置され、電極線とリード線とを接続する。
【０００６】
第１発明に係るサーミスタでは、コネクタまたはファストンを介してリード線と電極線とを結んでいるため、リード線からサーミスタ素子への水分の浸入を抑制できる。
【０００７】
第２発明に係るサーミスタは、第１発明に係るサーミスタであって、収納ケースと、弾性部材とをさらに備える。収納ケースは、開口部を有し、サーミスタ素子および電極線を収納する。弾性部材は、開口部に嵌合可能であり、リード線が貫通される。
【０００８】
ここで、弾性部材とは、例えば、ゴムである。
【０００９】
第２発明に係るサーミスタでは、弾性部材を備えることにより、開口部から収納ケース内への水分の浸入を抑制できる。
【００１０】
第３発明に係るサーミスタは、第２発明に係るサーミスタであって、リード線が弾性部材を貫通することにより、弾性部材は、リード線を圧迫する。
【００１１】
第３発明に係るサーミスタでは、弾性部材がリード線を圧迫することにより、リード線からサーミスタ素子への水分の浸入を抑制できる。
【００１２】
第４発明に係るサーミスタは、第２発明または第３発明に係るサーミスタであって、収納ケースは、第１樹脂から構成され、収納ケース内には、第２樹脂が充填される。
【００１３】
ここで、例えば、第１樹脂と第２樹脂とは、同じものであっても、異なるものであってもよい。
【００１４】
第４発明に係るサーミスタでは、収納ケースが第１樹脂から構成され、収納ケース内に第２樹脂が充填されることにより、収納ケースと充填される樹脂との密着性が高まる。
【００１５】
第５発明に係るサーミスタは、第２発明または第３発明に係るサーミスタであって、電極線とリード線とを接続するものがコネクタであり、リード線は、制御装置に接続され、弾性部材は、制御装置と、コネクタとの間に位置する。
【００１６】
第５発明に係るサーミスタでは、弾性部材を制御装置とコネクタとの間に位置させることにより、リード線からコネクタの方への水分の浸入を抑制できる。
【００１７】
第６発明に係るサーミスタは、第２発明〜第５発明のいずれかに係るサーミスタであって、キャップをさらに備える。キャップは、収納ケースに嵌合可能であり、リード線が貫通される。
【００１８】
第６発明に係るサーミスタでは、収納ケースに嵌合されるキャップを設けることによって、収納ケース外から収納ケース内への水分の浸入を抑制できる。
【００１９】
第７発明に係るサーミスタは、第５発明に係るサーミスタであって、キャップをさらに備える。キャップは、収納ケースに嵌合可能であり、リード線が貫通される。キャップは、弾性部材と、制御装置との間に位置する。
【００２０】
第７発明に係るサーミスタでは、キャップによって、弾性部材の方へ浸入しようとする水分量を抑制できる。
【発明の効果】
【００２１】
第１発明に係るサーミスタでは、コネクタまたはファストンを介してリード線と電極線とを結んでいるため、リード線からサーミスタ素子への水分の浸入を抑制できる。
【００２２】
第２発明に係るサーミスタでは、弾性部材を備えることにより、開口部から収納ケース内への水分の浸入を抑制できる。
【００２３】
第３発明に係るサーミスタでは、弾性部材がリード線を圧迫することにより、リード線からサーミスタ素子への水分の浸入を抑制できる。
【００２４】
第４発明に係るサーミスタでは、収納ケースが第１樹脂から構成され、収納ケース内に第２樹脂が充填されることにより、収納ケースと充填される樹脂との密着性を高める。
【００２５】
第５発明に係るサーミスタでは、弾性部材を制御装置とコネクタとの間に位置させることにより、リード線からコネクタの方への水分の浸入を抑制できる。
【００２６】
第６発明に係るサーミスタでは、収納ケースに嵌合されるキャップを設けることによって、収納ケース外から収納ケース内への水分の浸入を抑制できる。
【００２７】
第７発明に係るサーミスタでは、キャップによって、弾性部材の方へ浸入しようとする水分量を抑制できる。
【発明を実施するための最良の形態】
【００２８】
以下、図面を参照しながら、本発明の実施形態について説明する。
【００２９】
なお、以下の実施形態は、本発明の具体例であって、本発明の技術的範囲を限定するものではない。
【００３０】
＜サーミスタ１の概略構成＞
サーミスタ１は、円筒形状を有しており、空気調和装置において、冷媒回路内を循環する冷媒の温度を検出するために使用される温度検出装置である。図１に示すように、サーミスタ１は、主として、サーミスタ素子２と、電極線３と、リード線４と、収納ケース７と、コネクタ１１と、ゴム１３と、キャップ１５とを備える。電極線３は、サーミスタ素子２に接続される２つの電極線である。リード線４は、コネクタ１１を介して電極線３と接続されるが、電極線３とは互いに離間している。収納ケース７は、サーミスタ素子２と電極線３とを収納している。施工者等は、コネクタピン５にコネクタ１１を接続させて、それから収納ケース７内にゴム１３を押し込む。そして、最後にキャップ１５を、収納ケース７に嵌める。
【００３１】
＜サーミスタ素子２および電極線３の構成＞
サーミスタ素子２は、温度に応じて抵抗値を変化させる。図１、２に示すように、サーミスタ素子２は、サーミスタ１の先端部分に位置し、例えば、金属酸化物系の半導体により構成される。電極線３は、サーミスタ素子２に直接接続される導電体である。
【００３２】
＜収納ケース７の構成＞
収納ケース７は、第１樹脂から構成される。第１樹脂は、例えば、エポキシ樹脂である。また、収納ケース７内には、第２樹脂２０が充填される。第２樹脂２０は、例えば、エポキシ樹脂である。ここで、収納ケース７を構成する第１樹脂と、収納ケース７内に充填される第２樹脂２０は、同じものであっても、異なるものであってもよい。
【００３３】
収納ケース７には、開口部８（図１参照）が設けられている。開口部８には、コネクタ１１やゴム１３の挿脱が可能である。ゴム１３は、開口部８に嵌合する。
【００３４】
＜コネクタピン５およびコネクタ１１の構成＞
コネクタ１１は、ソケット１１ａを収納するコネクタである。コネクタピン５は、コネクタ１１内に位置するソケット１１ａを電極線３に接続させる。コネクタピン５は、電極線３に、かしめ、または、半田付けによって接続された端子である。
【００３５】
また、コネクタ１１内に位置するソケット１１ａは、リード線４と接続される。コネクタピン５およびソケット１１ａを介して、電極線３とリード線４とは接続される。
【００３６】
＜ゴム１３の構成＞
ゴム１３は、防水用のゴムである。
【００３７】
ゴム１３にリード線４が貫通されると、図３に示すように、ゴム１３は、リード線４を構成する被覆部４１と、芯線４４とを圧迫する。
【００３８】
＜キャップ１５の構成＞
キャップ１５は、例えば、エポキシ樹脂から構成されており、収納ケース７に対して外嵌する。キャップ１５は、ゴム１３と、後述する制御装置９との間に位置する。
【００３９】
＜制御装置９の構成＞
制御装置９は、図４に示すように、マイクロコンピュータやメモリ等を搭載し、サーミスタ１と接続される。制御装置９は、サーミスタ１で検出された温度値に基づいて、空気調和装置内の圧縮機２１や他の機器を制御する。
【００４０】
＜本実施形態に係るサーミスタ１の特徴＞
（１）
例えば、リード線４の被覆部４１と芯線４４との隙間からサーミスタ素子２へ水分が浸入すると、サーミスタ素子２がショートすることが想定される。
【００４１】
そこで、本実施形態のサーミスタ１では、防水用のゴム１３を設け、ゴム１３にリード線４を貫通させる。ゴム１３にリード線４が貫通されることによって、ゴム１３がリード線４を圧迫する。したがって、リード線４の被覆部４１と芯線４４とを通る水分は、ゴム１３の圧迫によってサーミスタ素子２側への浸入を阻止されるので、リード線４からサーミスタ素子２への水分の浸入を抑制することができる。
【００４２】
しかし、ゴム１３のリード線４への圧迫があっても、リード線４の被覆部４１と芯線４４との隙間から、電極線３を介してサーミスタ素子２の方へ水分が通る場合も想定される。
【００４３】
そこで、上記実施形態のサーミスタ１では、電極線３とリード線４とを直接接続させるのではなく、電極線３とリード線４との間にコネクタ１１を介在させる。電極線３を介してリード線４からサーミスタ素子２へ繋がる経路がコネクタ１１によって、途切られるので、リード線４からサーミスタ素子２側への水分の浸入が阻止される。よって、リード線４からサーミスタ素子２への水分の浸入を抑制することができる。
【００４４】
（２）
従来、収納ケースを構成する材料として、銅を使用することが多く、収納ケース内に充填されるものは樹脂が多い。このような場合、銅と樹脂のそれぞれの膨張率が異なるために、収納ケースを構成する銅と、収納ケース内に充填される樹脂との間に隙間ができ、その隙間から収納ケース７内へ水分が浸入することも想定される。この場合、サーミスタ素子２にクラックが発生することが想定される。
【００４５】
そこで、上記実施形態のサーミスタ１では、収納ケース７を構成する材料を、収納ケース７内に充填される第２樹脂２０と同様のものにすることで、収納ケース７と収納ケース７内に充填される第２樹脂２０との密着性を高め、隙間の発生を抑制することができる。
【００４６】
よって、収納ケース７と収納ケース７に充填される第２樹脂２０との隙間から収納ケース７内への水分の浸入を抑制することもできる。したがって、サーミスタ素子２への水分の浸入も抑制することができる。
【００４７】
（３）
収納ケース７にキャップ１５が外嵌した場合であっても、収納ケース７とキャップ１５との間の隙間から収納ケース７内へ水分が浸入することも想定される。
【００４８】
そこで、上記実施形態のサーミスタ１では、防水用のゴム１３を設けている。ゴム１３は、コネクタ１１とキャップ１５との間に設ける。もし、キャップ１５と収納ケース７との間の隙間を通って収納ケース７外の水分が収納ケース７内へ浸入しても、ゴム１３によって、コネクタ１１側への水分の浸入経路を阻止することができる。したがって、サーミスタ素子２側への水分の浸入も抑制することができる。
【００４９】
＜サーミスタ１の変形例＞
以上、本発明の実施形態について図面に基づいて説明したが、具体的な構成は、これらの実施形態に限られるものではなく、発明の要旨を逸脱しない範囲で変更可能である。
【００５０】
（Ａ）
上記実施形態では、コネクタ１１は、電極線３とリード線４との間に配置され、電極線３とリード線４とを接続すると説明したが、本発明はこれに限られるものではなく、図５に示すように、コネクタ１１の代わりにファストン８０を用いた構成としてもよい。この場合、電極線３とファストン８０とはファストンタブを用いて接続する。
【００５１】
（Ｂ）
上記実施形態では、コネクタ１１にゴム１３が接続されると説明したが、本発明はこれに限られるものではなく、ゴム１３を設けていない構成としてもよい。
【００５２】
この場合であっても、電極線３とリード線４とを直接接続させないため、リード線４の隙間を通る水分の浸入を抑制することが可能になる。よって、リード線４からサーミスタ素子２への水分の浸入を抑制できる。
【００５３】
（Ｃ）
上記実施形態では、サーミスタ１は、空気調和装置において使用される温度検出装置であると説明したが、本発明はこれに限られるものではなく、他の装置に使用してもよい。
【産業上の利用可能性】
【００５４】
本発明は、リード線からサーミスタ素子への水分の浸入を抑制できるので、有用である。
【図面の簡単な説明】
【００５５】
【図１】サーミスタの概略構成図。
【図２】収納ケースにコネクタ等が嵌合した場合のサーミスタの概略構成図。
【図３】ゴムがリード線を圧迫する模式図。
【図４】制御装置に接続された、サーミスタおよび各種機器を示す図。
【図５】変形例（Ａ）に係るサーミスタの概略構成図。
【符号の説明】
【００５６】
１  サーミスタ
２  サーミスタ素子
３  電極線
４  リード線
７  収納ケース
８  開口部
９  制御装置
１１  コネクタ
１３  ゴム（弾性部材）
１５  キャップ
２０  第２樹脂
８０  ファストン
【図１】
2010040620.tif 000003
【図２】
2010040620.tif 000004
【図３】
2010040620.tif 000005
【図４】
2010040620.tif 000006
【図５】
2010040620.tif 000007